(57)【要約】【課題】従来のサイズや、広い面積を有するパドルでは、パドルを外した時、手にかかる水の抵抗の軽さの要因となるものであり、これに鑑み、掌に収まる大きさのパドルを形成し、該パドルを外して泳ぐ時に生ずる水圧のギャップを少なくする。【解決手段】水泳練習用パドルにおいて、適宜な厚み寸法Ｘを有する合成樹脂板を素材としたパドル本体を設け、該パドル本体の面積は、手の親指の除く他の四本の指を、略閉じた状態の横幅寸法（Ｙ）と、前記四本の指の、略各つけ根付近から、中指の先端部付近までの縦幅寸法（Ｚ）との積程度の大きさであり、該パドル本体の先端部付近に、適宜な大きさを有する通穴（２）を穿設し、且つ、該通穴の後方部に、一対の紐通し用穴（３），（３）を穿設したことを特徴とする水泳練習用パドル。【選択図】    図１
2014073191.tif 000002
【特許請求の範囲】
【請求項１】
水泳練習用パドルにおいて、適宜な厚み寸法を有する合成樹脂板を素材としたパドル本体を設け、
該パドル本体の面積は、手の親指の除く他の四本の指を、略閉じた状態の横幅寸法と、  前記四本の指の、略各つけ根付近から、中指の先端部付近までの縦幅寸法
との積程度の適宜な大きさであり、
該パドル本体の先端部付近に、適宜な大きさを有する通穴を穿設し、
且つ、該通穴の後方部に、一対の紐通し用穴を穿設した
ことを特徴とする水泳練習用パドル。
【請求項２】
パドル本体の指との接触面が、平坦な形状に形成、
あるいは、各指の腹が位置する先端部付近を残し、他部を逆半椀状の膨出形状に形成したものから選ばれた
ことを特徴とする請求項１記載の水泳練習用パドル。
【請求項３】
パドル本体の表面形状が、略長方形状であって、上辺を各指の先端形状に沿った円弧状、あるいは、截頭角状に形成したものから選ばれたことを特徴とする請求項１または２記載の水泳練習用パドル。
【請求項４】
パドル本体の表面形状が、略長方形状であって、下辺を、円弧状に形成したことを特徴とする請求項１または２または３記載の水泳練習用パドル。
【請求項５】
通穴の大きさは、８〜１０ｍｍ程度であることを特徴とする請求項１記載の水泳練習用パドル。
【発明の詳細な説明】
【技術分野】
【０００１】
この発明は、水泳練習用パドルに関するものであり、左・右、両手に装着し、特に、それぞれ掌に位置し、手の中指に紐にて装着・固定して使用する水泳練習用パドルに関するものである。
【背景技術】
【０００２】
従来、水泳練習用パドルは、水泳練習の際、手に装着する器具として市販されているが、この従来の該パドルを装着して泳ぐと、該パドルを外して泳いだ時に比べて水の抵抗が軽く感じてしまい、そのギャップは極めて大きいものであった。
【０００３】
この原因は、パドルのサイズやパドルの面積によるものであり、より正確に、美しく、しかも効率よく泳ぐためには、主に、手のどこに力を入れて泳ぐかは、従来のパドルからは明確な結果を求めることができなかった。
【０００４】
さらに、この従来のパドルを装着して泳ぐ際、主に、手のどこに力を入れて使用すればよいのか、明確でなく、また、従来のパドルは外した際、水の抵抗が軽く感じすぎてしまうというものであった。
【０００５】
また、その他に身体に装着する水泳練習用器具を用いてトレーニングするものは存在した。例えば、特許文献１，特許文献２そして、特許文献３のように。
【先行技術文献】
【特許文献】
【０００６】
【特許文献１】特開２００５−２２４３３１号公報
【特許文献２】特開２００６−０００２３７号公報
【特許文献３】特開２０１１−０１１０１０号公報
【０００７】
しかし、特許文献１は、「水泳用補助具」に関するものであるが、足に装着する器具であり、手に装着する器具ではなかった。
【０００８】
また、特許文献２は、「掌をリラックスする水泳練習用パドル」に関するものであるが、パドル本体は、掌より大きいため、装着して練習に使用しても、水圧が強く、肩を傷めてしまうという欠点があった。
【０００９】
さらに、特許文献３は、「水泳用手首固定パドル」に関するものであるが、主に手首を固定することを目的とする発明であり、板状のパドルは存在しないものであった。
【発明の概要】
【発明が解決しようとする課題】
【００１０】
そこで、この発明の課題は、従来のサイズや、広い面積を有するパドルでは、パドルを外した時、手にかかる水の抵抗の軽さの要因となるものであり、これに鑑み、掌に収まる大きさのパドルを形成し、該パドルを外して泳ぐ時に生ずるギャップを少なくできるサイズを研究するものである。
【００１１】
また、幅広い水泳愛好者層が、泳いでいる手の軌道を認識しながら泳ぐために必要なパドルを求めることもこの発明の課題である。
【００１２】
さらには、掌が水中動作を行う時、掌に丸みをおびさせて動かす人と、掌を真っ直ぐ平らにして動かす人との二通りに分けられ、また、競泳種目では左・右同時に動かす泳ぎと、左・右交互に動かす泳ぎとに分かれ、これらにそれぞれ適合した数種類のパドルを設けた水泳練習用パドルを開発・提供することにある。
【課題を解決するための手段】
【００１３】
そして、この発明は、両方の掌のうち、それぞれ、親指を除く、他の指部の幅寸法程度に納まり、両方の掌の指のつけ根付近から、中指の長さまでの縦寸法内に収まるパドルを設け、これにより出来るだけ水の抵抗を少なくする形状並びに大きさとし、該パドル本体の先端の中心付近に通穴を１個だけ形成すると共に、中指にパドル本体を固定するための紐を固定する一対の紐通し用穴を形成した水泳練習用パドルである。
【発明の効果】
【００１４】
この発明によると、従来のパドルより、パドル本体（１）の大きさや形状を小さく形成することにより、面積が小さくなり、素手で泳ぐ時よりは水の抵抗は増すが、あまり筋力のない初心者から選手までの幅広い泳者達にも、身体への負担を抑え、無理なくトレーニングに使用できる等の極めて優れた効果を奏する。
【００１５】
さらに、この発明によると、パドル先端部付近に形成した通穴（２）部に、常時、中指の指先の腹で押圧しながら泳ぐことにより、この一点に集中して泳げば、中指を中心としたパドル本体（１）に接している指先に意識を持たせて泳ぐことができ、また、それにより、水中での軌道や水の抵抗を細かいところまで、鋭く感じることができる感覚を養うことができ、理想のフォームに近づくことができる等のすぐれた効果を奏する。
【図面の簡単な説明】
【００１６】
【図１】この発明の一実施例を示し、（Ａ）は左手用の平面図であり、（Ｂ）は、図１（Ａ）中のａ−ａ断面図である。
【図２】この発明の他の実施例を示し、（Ａ）は左・右共用の平面図であり、（Ｂ）は図２（Ａ）中のｂ−ｂ断面図である。
【図３】この発明のさらに他の実施例を示し、（Ａ）は左・右共用の平面図であり、（Ｂ）は図３（Ａ）中のｃ−ｃ断面図である。
【図４】この発明のさらに他の実施例を示し、（Ａ）は左手用の平面図であり、（Ｂ）は図４（Ａ）中のｄ−ｄ断面図である。
【図５】この発明のさらに他の実施例を示し、（Ａ）は左・右共用の平面図であり、（Ｂ）は図５（Ａ）中のｅ−ｅ断面図である。
【図６】この発明のさらに他の実施例を示し、（Ａ）は左手用の平面図であり、（Ｂ）は図６（Ａ）中のｆ−ｆ断面図である。
【図７】この発明に使用する左手の掌の説明図である。
【発明を実施するための形態】
【００１７】
以下、この発明の好適な実施の形態について詳細に説明すると、この発明においては、以下の記述に限定されるものではなく、この発明の要旨を逸脱しない範囲においては適宜変更可能である。
【実施例】
【００１８】
先ず、この発明の一実施例を図１（Ａ），（Ｂ）に基づいて詳述すると、水泳練習用パドルにおいて、適宜な厚み寸法（Ｘ）を有する合成樹脂板を素材としたパドル本体（１ａ）を設け、該パドル本体（１ａ）の面積は、図７に示すように、手の親指の除く他の四本の指を、略閉じた状態の横幅寸法（Ｙ）と、前記四本の指の、略各つけ根付近から、略中指の先端部付近までの縦幅寸法（Ｚ）との積程度の大きさであり、該パドル本体（１ａ）の先端部付近に、適宜な大きさを有する通穴（２）を穿設し、且つ、該通穴（２）の後方部に、一対の紐通し用穴（３）を穿設したことを特徴とする水泳練習用パドルから構成されるものである。
【００１９】
尚、前記パドル本体（１ａ）の寸法において、横幅寸法（Ｙ）を、手の親指の除く他の四本の指を、略閉じた状態と記載した理由は、これらの各指を全く完全に閉じた状態とか、やや開いた状態で使用することがあるため、横幅寸法は、実際の横幅寸法より±５ｍｍ程度の差異はあり、また、縦幅寸法（Ｚ）も、四本の指の、略各つけ根付近から、中指の先端部付近までと記載した理由についても、縦幅寸法（Ｚ）は、実際の縦幅寸法より±５ｍｍ程度の差異があるため、敢えて、「略」と記載したものである。
【００２０】
また、一対の紐通し用穴（３）は、パドル本体（１ａ）に形成した通穴（２）に、中指の腹を押圧した状態で、該中指を、一時固定するためのものであり、例えば、図６（Ｂ）に示すように、これら紐通し用穴（３）に、適宜な長さのゴムチューブ状のゴム紐（４）の両端をそれぞれ差し込み、中指を締めつけるように該ゴム紐（４）の両端を引っ張り固定するものである。
【００２１】
尚、前記パドル本体（１ａ）は、左手に装着する左手用のものであり、各指の腹が位置する先端部付近を残し、他部を半逆椀状（半分のお椀を逆さまにした状態）の膨出形状に形成したものであり、図１（Ａ）の左端のフラットな部位には小指を保持させるものであり、右手に装着する右手用ものは右端のフラットな部位に、右手の小指を保持するよう構成するものである。
【００２２】
次に、この発明の他の実施例を図２（Ａ），（Ｂ）に基づいて詳述すると、前記段落番号〔００１７〕に記載した発明と、略同一であるが、この発明は、左・右共用のパドル本体（１ａ′）であり、該パドル本体（１ａ′）の両端には、前述のように小指を保持させるフラットな部位は存在しないものである。即ち，該パドル本体（１ａ′）の通穴（２）を中心として平面が左右対象に形成されているものである。
【００２３】
さらに、この発明のさらに他の実施例を図３（Ａ），（Ｂ）に基づいて詳述すると、パドル本体（１ｂ）の上辺は、平面から見た形状が、裁頭角状に形成したものであり、該パドル（１ｂ）の表面は、図３（Ｂ）に示すようにフラットに形成されており、且つ、左右共用のものである。
【００２４】
また、この発明のさらに他の実施例を図４（Ａ），（Ｂ）に基づいて詳述すると、パドル本体（１ｃ）は、平面から見た形状が、上辺が左・右が不均等な円弧状であり、下辺は左・右が均等な円弧状に形成されたものであり、表面は、図４（Ｂ）に示すようにフラットに形成されており、また、一対の紐通し用穴（３）の一方が、他とは通穴（２）と異なった位置に形成されており、左手用のものである。
【００２５】
また、次にこの発明のさらに他の実施例を図５（Ａ），（Ｂ）に基づいて詳述すると、パドル本体（１ｃ′）は、平面から見た形状が、上辺、下辺が円弧状に形成されたものであり、表面は、図５（Ｂ）に示すようにフラットに形成されているが、前記図４に示したパドル本体（１ｃ）とは、異なり、且つ、左右共用のものである。
【００２６】
最後に、図６（Ａ），（Ｂ）に示したパドル本体（１ａ）は、図１（Ａ），（Ｂ）に示したものと同一のものであるが、一対の紐通し用穴（３）にゴム紐（４）を装着した状態を示したものである。
【００２７】
また、装着する泳者の手の大・小によりパドル本体の大きさも異なるため、当然の事ながら、複数種類の大きさのパドル本体を設ける必要があり、その結果、パドル本体のサイズダウンの場合には縦寸法（Ｚ）は変えずに、横寸法（Ｙ）を変えて作成する。また、パドル本体のサイズアップの場合には、全体の比率、即ち，縦寸法（Ｚ）と横寸法（Ｙ）の比率でアップさせる。
【００２８】
以上のように、パドル本体は、泳ぐ時に、掌を真っ直ぐにして泳ぐ泳者には、該パドル本体の指との接触面は、平坦（フラット）な形状に形成したり、あるいは、湾曲させて泳ぐ泳者には、各指の腹が位置する先端部付近を残し、他部を半逆椀状の膨出形状に形成したものから構成される水泳練習用パドルである。
【００２９】
さらに、パドル本体の表面形状は、大抵が略長方形状であって、図１に示すパドル本体は、図１に示すパドル本体（１ａ）、図２に示すパドル本体（１ａ′）のように、上辺を各指の先端形状に沿った円弧状に形成したものや、図３に示すパドル本体（１ｂ）のように、上辺を截頭角状に形成したものであってもよく、例えば、パドル本体の下辺は、図１，図２，図３，図６に示すパドル本体（１ａ，１ａ′，１ｂ）のように直線状であったり、あるいは、図４，図５に示すパドル本体（１ｃ，１ｃ′）のように円弧状であってもよい。
【００３０】
通穴（２）の大きさは、８〜１０ｍｍ程度であることが望ましい。
【００３１】
また、本来は中指を中心としてパドルを作成されば、左手用、右手用をそれぞれ形状の異なる２種類を作成する必要があるが、バタフライ、平泳ぎなど両手を同時に動かす泳法もあるため、左手用・右手用が共用のものも存在する。
【００３２】
そして、該パドル本体（１）の厚み寸法（Ｘ）は、フラット型で、２．５〜３．５ｍｍ程度であり、膨出型の厚み寸法は、全体で、約１０ｍｍ程度である。
【００３３】
また、通穴（２）の大きさは、８〜１０ｍｍ程度であると述べたが、通穴（２）の形状は、通常、円形であるが、場合によっては、楕円形等が考えられるため、通穴の形状は、他の形状に形成してもよく、敢えて形状は限定しない。
【００３４】
尚、ゴム紐（４）は、チューブ状のゴムであり、中指先端の腹部を、前記通穴（２）に押しつけた状態で、両紐通し穴（３）（３）間に中指を挿入し、これら両紐通し穴より、ゴム紐をそれぞれ引っ張ることにより、中指を締めつけ、掌とパドル本体（１）とを一部固定するものである。
【産業上の利用可能性】
【００３５】
この発明によると、水泳練習用パドルの技術を確立し、これに基づいて大量に製造・使用・販売することにより産業上の利用可能性があるものである。
【符号の説明】
【００３６】
１ａ、１ａ′、１ｂ、１ｃ、１ｃ′  パドル本体
２  通穴
３  紐通し用穴
４  ゴム紐
Ｘ  厚み寸法
Ｙ  横幅寸法
Ｚ  縦幅寸法
【図１】
2014073191.tif 000003
【図２】
2014073191.tif 000004
【図３】
2014073191.tif 000005
【図４】
2014073191.tif 000006
【図５】
2014073191.tif 000007
【図６】
2014073191.tif 000008
【図７】
2014073191.tif 000009
【手続補正書】
【提出日】平成25年2月4日(2013.2.4)
【手続補正１】
【補正対象書類名】明細書
【補正対象項目名】全文
【補正方法】変更
【補正の内容】
【発明の詳細な説明】
【技術分野】
【０００１】
この発明は、水泳練習用パドルに関するものであり、左・右、両手に装着し、特に、それぞれ掌に位置し、手の中指に紐にて装着・固定して使用する水泳練習用パドルに関するものである。
【背景技術】
【０００２】
従来、水泳練習用パドルは、水泳練習の際、手に装着する器具として市販されているが、この従来の該パドルを装着して泳ぐと、該パドルを外して泳いだ時に比べて水の抵抗が軽く感じてしまい、そのギャップは極めて大きいものであった。
【０００３】
この原因は、パドルのサイズやパドルの面積によるものであり、より正確に、美しく、しかも効率よく泳ぐためには、主に、手のどこに力を入れて泳ぐかは、従来のパドルからは明確な結果を求めることができなかった。
【０００４】
さらに、この従来のパドルを装着して泳ぐ際、主に、手のどこに力を入れて使用すればよいのか、明確でなく、また、従来のパドルは外した際、水の抵抗が軽く感じすぎてしまうというものであった。
【０００５】
また、その他に身体に装着する水泳練習用器具を用いてトレーニングするものは存在した。例えば、特許文献１，特許文献２そして、特許文献３のように。
【先行技術文献】
【特許文献】
【０００６】
【特許文献１】特開２００５−２２４３３１号公報
【特許文献２】特開２００６−０００２３７号公報
【特許文献３】特開２０１１−０１１０１０号公報
【０００７】
しかし、特許文献１は、「水泳用補助具」に関するものであるが、足に装着する器具であり、手に装着する器具ではなかった。
【０００８】
また、特許文献２は、「掌をリラックスする水泳練習用パドル」に関するものであるが、パドル本体は、掌より大きいため、装着して練習に使用しても、水圧が強く、肩を傷めてしまうという欠点があった。
【０００９】
さらに、特許文献３は、「水泳用手首固定パドル」に関するものであるが、主に手首を固定することを目的とする発明であり、板状のパドルは存在しないものであった。
【発明の概要】
【発明が解決しようとする課題】
【００１０】
そこで、この発明の課題は、従来のサイズや、広い面積を有するパドルでは、パドルを外した時、手にかかる水の抵抗の軽さの要因となるものであり、これに鑑み、掌に収まる大きさのパドルを形成し、該パドルを外して泳ぐ時に生ずるギャップを少なくできるサイズを研究するものである。
【００１１】
また、幅広い水泳愛好者層が、泳いでいる手の軌道を認識しながら泳ぐために必要なパドルを求めることもこの発明の課題である。
【００１２】
さらには、掌が水中動作を行う時、掌に丸みをおびさせて動かす人と、掌を真っ直ぐ平らにして動かす人との二通りに分けられ、また、競泳種目では左・右同時に動かす泳ぎと、左・右交互に動かす泳ぎとに分かれ、これらにそれぞれ適合した数種類のパドルを設けた水泳練習用パドルを開発・提供することにある。
【課題を解決するための手段】
【００１３】
そして、この発明は、両方の掌のうち、それぞれ、親指を除く、他の指部の幅寸法程度に納まり、両方の掌の指のつけ根付近から、中指の長さまでの縦寸法内に収まるパドルを設け、これにより出来るだけ水の抵抗を少なくする形状並びに大きさとし、該パドル本体の先端の中心付近に通穴を１個だけ形成すると共に、中指にパドル本体を固定するための紐を固定する一対の紐通し用穴を形成した水泳練習用パドルである。
【発明の効果】
【００１４】
この発明によると、従来のパドルより、パドル本体（１）の大きさや形状を小さく形成することにより、面積が小さくなり、素手で泳ぐ時よりは水の抵抗は増すが、あまり筋力のない初心者から選手までの幅広い泳者達にも、身体への負担を抑え、無理なくトレーニングに使用できる等の極めて優れた効果を奏する。
【００１５】
さらに、この発明によると、パドル先端部付近に形成した通穴（２）部に、常時、中指の指先の腹で押圧しながら泳ぐことにより、この一点に集中して泳げば、中指を中心としたパドル本体（１）に接している指先に意識を持たせて泳ぐことができ、また、それにより、水中での軌道や水の抵抗を細かいところまで、鋭く感じることができる感覚を養うことができ、理想のフォームに近づくことができる等のすぐれた効果を奏する。
【図面の簡単な説明】
【００１６】
【図１】この発明の一実施例を示し、（Ａ）は左手用の平面図であり、（Ｂ）は、図１（Ａ）中のａ−ａ断面図である。
【図２】この発明の他の実施例を示し、（Ａ）は左・右共用の平面図であり、（Ｂ）は図２（Ａ）中のｂ−ｂ断面図である。
【図３】この発明のさらに他の実施例を示し、（Ａ）は左・右共用の平面図であり、（Ｂ）は図３（Ａ）中のｃ−ｃ断面図である。
【図４】この発明のさらに他の実施例を示し、（Ａ）は左手用の平面図であり、（Ｂ）は図４（Ａ）中のｄ−ｄ断面図である。
【図５】この発明のさらに他の実施例を示し、（Ａ）は左・右共用の平面図であり、（Ｂ）は図５（Ａ）中のｅ−ｅ断面図である。
【図６】この発明のさらに他の実施例を示し、（Ａ）は左手用の平面図であり、（Ｂ）は図６（Ａ）中のｆ−ｆ断面図である。
【図７】この発明に使用する左手の掌の説明図である。
【図８】この発明に使用し、（Ａ）は左手用、（Ｂ）は右手用のそれぞれパドル本体の説明図である。
【図９】この発明に使用する左・右共有のパドル本体の説明図である。
【図１０】この発明に使用する左・右共有のパドル本体の説明図である。
【図１１】この発明に使用し、（Ａ）は左手用、（Ｂ）は右手用のそれぞれパドル本体の説明図である。
【図１２】この発明に使用し、（Ａ）は左手用、（Ｂ）は右手用のそれぞれパドル本体の説明図である。
【図１３】この発明に使用する左・右共有のパドル本体の説明図である。
【図１４】この発明に使用する左手用のパドル本体の説明図である。
【発明を実施するための形態】
【００１７】
以下、この発明の好適な実施の形態について詳細に説明すると、この発明においては、以下の記述に限定されるものではなく、この発明の要旨を逸脱しない範囲においては適宜変更可能である。
【実施例】
【００１８】
先ず、この発明の一実施例を図１（Ａ），（Ｂ）に基づいて詳述すると、水泳練習用パドルにおいて、適宜な厚み寸法（Ｘ）を有する合成樹脂板を素材としたパドル本体（１ａ）を設け、該パドル本体（１ａ）の面積は、図７に示すように、手の親指の除く他の四本の指を、略閉じた状態の横幅寸法（Ｙ）と、前記四本の指の、略各つけ根付近から、略中指の先端部付近までの縦幅寸法（Ｚ）との積程度の大きさであり、該パドル本体（１ａ）の先端部付近に、適宜な大きさを有する通穴（２）を穿設し、且つ、該通穴（２）の後方部に、一対の紐通し用穴（３）を穿設したことを特徴とする水泳練習用パドルから構成されるものである。
【００１９】
尚、前記パドル本体（１ａ）の寸法において、横幅寸法（Ｙ）を、手の親指の除く他の四本の指を、略閉じた状態と記載した理由は、これらの各指を全く完全に閉じた状態とか、やや開いた状態で使用することがあるため、横幅寸法は、実際の横幅寸法より±５ｍｍ程度の差異はあり、また、縦幅寸法（Ｚ）も、四本の指の、略各つけ根付近から、中指の先端部付近までと記載した理由についても、縦幅寸法（Ｚ）は、実際の縦幅寸法より±５ｍｍ程度の差異があるため、敢えて、「略」と記載したものである。
【００２０】
また、一対の紐通し用穴（３）は、パドル本体（１ａ）に形成した通穴（２）に、中指の腹を押圧した状態で、該中指を、一時固定するためのものであり、例えば、図６（Ｂ）に示すように、これら紐通し用穴（３）に、適宜な長さのゴムチューブ状のゴム紐（４）の両端をそれぞれ差し込み、中指を締めつけるように該ゴム紐（４）の両端を引っ張り固定するものである。
【００２１】
尚、前記パドル本体（１ａ）は、左手に装着する左手用のものであり、各指の腹が位置する先端部付近を残し、他部を半逆椀状（半分のお椀を逆さまにした状態）の膨出形状に形成したものであり、図１（Ａ）の左端のフラットな部位には小指を保持させるものであり、右手に装着する右手用ものは右端のフラットな部位に、右手の小指を保持するよう構成するものである。
【００２２】
次に、この発明の他の実施例を図２（Ａ），（Ｂ）に基づいて詳述すると、前記段落番号〔００１７〕に記載した発明と、略同一であるが、この発明は、左・右共用のパドル本体（１ａ′）であり、該パドル本体（１ａ′）の両端には、前述のように小指を保持させるフラットな部位は存在しないものである。即ち，該パドル本体（１ａ′）の通穴（２）を中心として平面が左右対象に形成されているものである。
【００２３】
さらに、この発明のさらに他の実施例を図３（Ａ），（Ｂ）に基づいて詳述すると、パドル本体（１ｂ）の上辺は、平面から見た形状が、裁頭角状に形成したものであり、該パドル（１ｂ）の表面は、図３（Ｂ）に示すようにフラットに形成されており、且つ、左右共用のものである。
【００２４】
また、この発明のさらに他の実施例を図４（Ａ），（Ｂ）に基づいて詳述すると、パドル本体（１ｃ）は、平面から見た形状が、上辺が左・右が不均等な円弧状であり、下辺は左・右が均等な円弧状に形成されたものであり、表面は、図４（Ｂ）に示すようにフラットに形成されており、また、一対の紐通し用穴（３）の一方が、他とは通穴（２）と異なった位置に形成されており、左手用のものである。
【００２５】
また、次にこの発明のさらに他の実施例を図５（Ａ），（Ｂ）に基づいて詳述すると、パドル本体（１ｃ′）は、平面から見た形状が、上辺、下辺が円弧状に形成されたものであり、表面は、図５（Ｂ）に示すようにフラットに形成されているが、前記図４に示したパドル本体（１ｃ）とは、異なり、且つ、左右共用のものである。
【００２６】
最後に、図６（Ａ），（Ｂ）に示したパドル本体（１ａ）は、図１（Ａ），（Ｂ）に示したものと同一のものであるが、一対の紐通し用穴（３）にゴム紐（４）を装着した状態を示したものである。
【００２７】
また、装着する泳者の手の大・小によりパドル本体の大きさも異なるため、当然の事ながら、複数種類の大きさのパドル本体を設ける必要があり、その結果、パドル本体のサイズダウンの場合には縦寸法（Ｚ）は変えずに、横寸法（Ｙ）を変えて作成する。また、パドル本体のサイズアップの場合には、全体の比率、即ち，縦寸法（Ｚ）と横寸法（Ｙ）の比率でアップさせる。
【００２８】
また、前述のように、パドル本体を装着する泳者の手の大・小によりパドル本体の大きさも異なるため、各パドル本体（１ａ，１ａ′，１ｂ，１ｃ，１ｃ′）の寸法においては、泳者の身長を基準として下記の５タイプの大きさに分けた。即ち，
１）    Ｓタイプ（身長１６５ｃｍ以下）、
２）    Ｍタイプ（身長１６５ｃｍ〜１８０ｃｍ）
３）    Ｌタイプ（身長１７５ｃｍ〜１９０ｃｍ）
４）  ２Ｌタイプ（身長１８５ｃｍ〜２００ｃｍ）
５）  ３Ｌタイプ（身長１９０ｃｍ以上）
【００２９】
そして、図８〜図１３に示す全パドル本体の共通の寸法は、Ｓタイプを標準とすると、Ｍタイプは標準＋１０％、Ｌタイプは標準＋２０％、２Ｌタイプは標準＋３０％、そして３Ｌタイプは標準＋４０％とする。
【００３０】
また、図８〜図１３に示す全パドル本体の通穴（２）の直径寸法は、Ｓタイプは８ｍｍ、Ｍタイプは９ｍｍ、Ｌタイプは１０ｍｍ、２Ｌタイプは１０ｍｍ、そして３Ｌタイプは１１ｍｍとする。
【００３１】
さらに、図８〜図１３に示す全パドル本体の上端から通穴（２）の上部までの寸法は、Ｓタイプは７ｍｍ、Ｍタイプは８ｍｍ、Ｌタイプは８ｍｍ、２Ｌタイプは９ｍｍ、そして３Ｌタイプは１０ｍｍとする。
【００３２】
そして、図８〜図１３に示す全パドル本体の紐通し用穴（３）の直径寸法は、共通して、４．５ｍｍ〜５ｍｍとする。
【００３３】
また、図８〜図１３に示す全パドル本体の通穴（２）の下部から紐通し用穴（３）の上部までの寸法は、Ｓタイプは１４ｍｍ、Ｍタイプは１５ｍｍ、Ｌタイプは１６ｍｍ、２Ｌタイプは１８ｍｍ、そして３Ｌタイプは２０ｍｍとする。
【００３４】
さらに、図８〜図１３に示す全パドル本体の紐通し用穴（３）間の寸法は、Ｓタイプは１８ｍｍ、Ｍタイプは２０ｍｍ、Ｌタイプは２２ｍｍ、２Ｌタイプは２３ｍｍ、そして３Ｌタイプは２５ｍｍとする。
【００３５】
尚、図１４に示す全パドル本体の紐通し用穴（３）と通穴（２）との間の寸法は、図８〜図１３までの共通の寸法からは外れるものである。
【００３６】
前記図８に掲載したパドル本体（１ａ）の５タイプの寸法は、下記の表１に示すものである。
【００３７】
【表１】
2014073191.tif 000010
【００３８】
前記図９に掲載したパドル本体（１ａ′）の５タイプの寸法は、下記の表２に示すものである。
【００３９】
【表２】
2014073191.tif 000011
【００４０】
前記図１０に掲載したパドル本体（１ｂ）の５タイプの寸法は、下記の表３に示すものである。
【００４１】
【表３】
2014073191.tif 000012
【００４２】
前記図１１に掲載した両パドル本体の５タイプの寸法は、下記の表４に示すものである。
【００４３】
【表４】
2014073191.tif 000013
【００４４】
前記図１２に掲載したパドル本体（１ｃ）の５タイプの寸法は、下記の表５に示すものである。
【００４５】
【表５】
2014073191.tif 000014
【００４６】
前記図１３に掲載したパドル本体（１ｃ′）の５タイプの寸法は、下記の表６に示すものである。
【００４７】
【表６】
2014073191.tif 000015
【００４８】
前記図１４に掲載したパドル本体の５タイプの寸法は、下記の表６に示すものである。 
【００４９】
【表７】
2014073191.tif 000016
【００５０】
以上のように、パドル本体は、泳ぐ時に、掌を真っ直ぐにして泳ぐ泳者には、該パドル本体の指との接触面は、平坦（フラット）な形状に形成したり、あるいは、湾曲させて泳ぐ泳者には、各指の腹が位置する先端部付近を残し、他部を半逆椀状の膨出形状に形成したものから構成される水泳練習用パドルである。
【００５１】
さらに、パドル本体の表面形状は、大抵が略長方形状であって、図１に示すパドル本体は、図１に示すパドル本体（１ａ）、図２に示すパドル本体（１ａ′）のように、上辺を各指の先端形状に沿った円弧状に形成したものや、図３に示すパドル本体（１ｂ）のように、上辺を截頭角状に形成したものであってもよく、例えば、パドル本体の下辺は、図１，図２，図３，図６に示すパドル本体（１ａ，１ａ′，１ｂ）のように直線状であったり、あるいは、図４，図５に示すパドル本体（１ｃ，１ｃ′）のように円弧状であってもよい。
【００５２】
通穴（２）の大きさは、８〜１０ｍｍ程度であることが望ましい。
【００５３】
また、本来は中指を中心としてパドルを作成されば、左手用、右手用をそれぞれ形状の異なる２種類を作成する必要があるが、バタフライ、平泳ぎなど両手を同時に動かす泳法もあるため、左手用・右手用が共用のものも存在する。
【００５４】
そして、該パドル本体（１）の厚み寸法（Ｘ）は、フラット型で、２．５〜３．５ｍｍ程度であり、膨出型の厚み寸法は、全体で、約１０ｍｍ程度である。
【００５５】
また、通穴（２）の大きさは、８〜１０ｍｍ程度であると述べたが、通穴（２）の形状は、通常、円形であるが、場合によっては、楕円形等が考えられるため、通穴の形状は、他の形状に形成してもよく、敢えて形状は限定しない。
【００５６】
尚、ゴム紐（４）は、チューブ状のゴムであり、中指先端の腹部を、前記通穴（２）に押しつけた状態で、両紐通し穴（３）（３）間に中指を挿入し、これら両紐通し穴より、ゴム紐をそれぞれ引っ張ることにより、中指を締めつけ、掌とパドル本体（１）とを一部固定するものである。
【産業上の利用可能性】
【００５７】
この発明によると、水泳練習用パドルの技術を確立し、これに基づいて大量に製造・使用・販売することにより産業上の利用可能性があるものである。
【符号の説明】
【００５８】
１ａ、１ａ′、１ｂ、１ｃ、１ｃ′  パドル本体
２  通穴
３  紐通し用穴
４  ゴム紐
Ｘ  厚み寸法
Ｙ  横幅寸法
Ｚ  縦幅寸法
【手続補正２】
【補正対象書類名】特許請求の範囲
【補正対象項目名】全文
【補正方法】変更
【補正の内容】
【特許請求の範囲】
【請求項１】
水泳練習用パドルにおいて、
適宜な厚み寸法を有する合成樹脂板を素材としたパドル本体を設け、
該パドル本体の面積は、手の親指の除く他の四本の指を、略閉じた状態の横幅寸法（Ｙ）が、７８ｍｍ〜１０９ｍｍ程度と、前記四本の指の、略各つけ根付近から、中指の先端部付近までの縦幅寸法（Ｚ）が、４９ｍｍ〜９７ｍｍ程度の大きさであり、
該パドル本体の先端部付近に、適宜な大きさを有する通穴を穿設し、
且つ、該通穴の後方部に、一対の紐通し用穴を穿設した
ことを特徴とする水泳練習用パドル。
【請求項２】
パドル本体は平板状であって、該本体の指との接触面が、平坦な形状に形成、
あるいは、各指の腹が位置する平板状の先端部付近を残し、他部を逆半椀状の膨出形状に形成したものから選ばれた
ことを特徴とする請求項１記載の水泳練習用パドル。
【請求項３】
パドル本体の表面形状が平板状の略長方形状であって、上辺を各指の先端形状に沿った円弧状、あるいは、截頭角状に形成したものから選ばれた
ことを特徴とする請求項１または２記載の水泳練習用パドル。
【請求項４】
パドル本体の表面形状が平板状であって、上辺を各指の先端形状に沿った円弧状に、下辺を、円弧状に形成した
ことを特徴とする請求項１または２記載の水泳練習用パドル。
【請求項５】
通穴の大きさは、８ｍｍ〜１０ｍｍ程度であることを特徴とする請求項１記載の水泳練習用パドル。
【手続補正３】
【補正対象書類名】図面
【補正対象項目名】図８
【補正方法】追加
【補正の内容】
【図８】
2014073191.tif 000017
【手続補正４】
【補正対象書類名】図面
【補正対象項目名】図９
【補正方法】追加
【補正の内容】
【図９】
2014073191.tif 000018
【手続補正５】
【補正対象書類名】図面
【補正対象項目名】図１０
【補正方法】追加
【補正の内容】
【図１０】
2014073191.tif 000019
【手続補正６】
【補正対象書類名】図面
【補正対象項目名】図１１
【補正方法】追加
【補正の内容】
【図１１】
2014073191.tif 000020
【手続補正７】
【補正対象書類名】図面
【補正対象項目名】図１２
【補正方法】追加
【補正の内容】
【図１２】
2014073191.tif 000021
【手続補正８】
【補正対象書類名】図面
【補正対象項目名】図１３
【補正方法】追加
【補正の内容】
【図１３】
2014073191.tif 000022
【手続補正９】
【補正対象書類名】図面
【補正対象項目名】図１４
【補正方法】追加
【補正の内容】
【図１４】
2014073191.tif 000023
【手続補正書】
【提出日】平成25年6月5日(2013.6.5)
【手続補正１】
【補正対象書類名】明細書
【補正対象項目名】全文
【補正方法】変更
【補正の内容】
【発明の詳細な説明】
【技術分野】
【０００１】
この発明は、水泳練習用パドルに関するものであり、左・右、両手に装着し、特に、それぞれ掌に位置し、手の中指に紐にて装着・固定して使用する水泳練習用パドルに関するものである。
【背景技術】
【０００２】
従来、水泳練習用パドルは、水泳練習の際、手に装着する器具として市販されているが、この従来の該パドルを装着して泳ぐと、該パドルを外して泳いだ時に比べて水の抵抗が軽く感じてしまい、そのギャップは極めて大きいものであった。
【０００３】
この原因は、パドルのサイズやパドルの面積によるものであり、より正確に、美しく、しかも効率よく泳ぐためには、主に、手のどこに力を入れて泳ぐかは、従来のパドルからは明確な結果を求めることができなかった。
【０００４】
さらに、この従来のパドルを装着して泳ぐ際、主に、手のどこに力を入れて使用すればよいのか、明確でなく、また、従来のパドルは外した際、水の抵抗が軽く感じすぎてしまうというものであった。
【０００５】
また、その他に身体に装着する水泳練習用器具を用いてトレーニングするものは存在した。例えば、特許文献１，特許文献２そして、特許文献３のように。
【先行技術文献】
【特許文献】
【０００６】
【特許文献１】特開２００５−２２４３３１号公報
【特許文献２】特開２００６−０００２３７号公報
【特許文献３】特開２０１１−０１１０１０号公報
【０００７】
しかし、特許文献１は、「水泳用補助具」に関するものであるが、足に装着する器具であり、手に装着する器具ではなかった。
【０００８】
また、特許文献２は、「掌をリラックスする水泳練習用パドル」に関するものであるが、パドル本体は、掌より大きいため、装着して練習に使用しても、水圧が強く、肩を傷めてしまうという欠点があった。
【０００９】
さらに、特許文献３は、「水泳用手首固定パドル」に関するものであるが、主に手首を固定することを目的とする発明であり、板状のパドルは存在しないものであった。
【発明の概要】
【発明が解決しようとする課題】
【００１０】
そこで、この発明の課題は、従来のサイズや、広い面積を有するパドルでは、パドルを外した時、手にかかる水の抵抗の軽さの要因となるものであり、これに鑑み、掌に収まる大きさのパドルを形成し、該パドルを外して泳ぐ時に生ずるギャップを少なくできるサイズを研究するものである。
【００１１】
また、幅広い水泳愛好者層が、泳いでいる手の軌道を認識しながら泳ぐために必要なパドルを求めることもこの発明の課題である。
【００１２】
さらには、掌が水中動作を行う時、掌に丸みをおびさせて動かす人と、掌を真っ直ぐ平らにして動かす人との二通りに分けられ、また、競泳種目では左・右同時に動かす泳ぎと、左・右交互に動かす泳ぎとに分かれ、これらにそれぞれ適合した数種類のパドルを設けた水泳練習用パドルを開発・提供することにある。
【課題を解決するための手段】
【００１３】
そして、この発明は、両方の掌のうち、それぞれ、親指を除く、他の指部の幅寸法程度に納まり、両方の掌の指のつけ根付近から、中指の長さまでの縦寸法内に収まるパドルを設け、これにより出来るだけ水の抵抗を少なくする形状並びに大きさとし、該パドル本体の先端の中心付近に通穴を１個だけ形成すると共に、中指にパドル本体を固定するための紐を固定する一対の紐通し用穴を形成した水泳練習用パドルである。
【発明の効果】
【００１４】
この発明によると、従来のパドルより、パドル本体（１）の大きさや形状を小さく形成することにより、面積が小さくなり、素手で泳ぐ時よりは水の抵抗は増すが、あまり筋力のない初心者から選手までの幅広い泳者達にも、身体への負担を抑え、無理なくトレーニングに使用できる等の極めて優れた効果を奏する。
【００１５】
さらに、この発明によると、パドル先端部付近に形成した通穴（２）部に、常時、中指の指先の腹で押圧しながら泳ぐことにより、この一点に集中して泳げば、中指を中心としたパドル本体（１）に接している指先に意識を持たせて泳ぐことができ、また、それにより、水中での軌道や水の抵抗を細かいところまで、鋭く感じることができる感覚を養うことができ、理想のフォームに近づくことができる等のすぐれた効果を奏する。
【図面の簡単な説明】
【００１６】
【図１】この発明の一実施例を示し、（Ａ）は左手用の平面図であり、（Ｂ）は、図１（Ａ）中のａ−ａ断面図である。
【図２】この発明の他の実施例を示し、（Ａ）は左・右共用の平面図であり、（Ｂ）は図２（Ａ）中のｂ−ｂ断面図である。
【図３】この発明のさらに他の実施例を示し、（Ａ）は左・右共用の平面図であり、（Ｂ）は図３（Ａ）中のｃ−ｃ断面図である。
【図４】この発明のさらに他の実施例を示し、（Ａ）は左手用の平面図であり、（Ｂ）は図４（Ａ）中のｄ−ｄ断面図である。
【図５】この発明のさらに他の実施例を示し、（Ａ）は左・右共用の平面図であり、（Ｂ）は図５（Ａ）中のｅ−ｅ断面図である。
【図６】この発明のさらに他の実施例を示し、（Ａ）は左手用の平面図であり、（Ｂ）は図６（Ａ）中のｆ−ｆ断面図である。
【図７】この発明に使用する左手の掌の説明図である。
【発明を実施するための形態】
【００１７】
以下、この発明の好適な実施の形態について詳細に説明すると、この発明においては、以下の記述に限定されるものではなく、この発明の要旨を逸脱しない範囲においては適宜変更可能である。
【実施例】
【００１８】
先ず、この発明の一実施例を図１（Ａ），（Ｂ）に基づいて詳述すると、水泳練習用パドルにおいて、適宜な厚み寸法（Ｘ）を有する合成樹脂板を素材としたパドル本体（１ａ）を設け、該パドル本体（１ａ）の面積は、図７に示すように、手の親指の除く他の四本の指を、略閉じた状態の横幅寸法（Ｙ）と、前記四本の指の、略各つけ根付近から、略中指の先端部付近までの縦幅寸法（Ｚ）との積程度の大きさであり、該パドル本体（１ａ）の先端部付近に、適宜な大きさを有する通穴（２）を穿設し、且つ、該通穴（２）の後方部に、一対の紐通し用穴（３）を穿設したことを特徴とする水泳練習用パドルから構成されるものである。
【００１９】
尚、前記パドル本体（１ａ）の寸法において、横幅寸法（Ｙ）を、手の親指の除く他の四本の指を、略閉じた状態と記載した理由は、これらの各指を全く完全に閉じた状態とか、やや開いた状態で使用することがあるため、横幅寸法は、実際の横幅寸法より±５ｍｍ程度の差異はあり、また、縦幅寸法（Ｚ）も、四本の指の、略各つけ根付近から、中指の先端部付近までと記載した理由についても、縦幅寸法（Ｚ）は、実際の縦幅寸法より±５ｍｍ程度の差異があるため、敢えて、「略」と記載したものである。
【００２０】
また、一対の紐通し用穴（３）は、パドル本体（１ａ）に形成した通穴（２）に、中指の腹を押圧した状態で、該中指を、一時固定するためのものであり、例えば、図６（Ｂ）に示すように、これら紐通し用穴（３）に、適宜な長さのゴムチューブ状のゴム紐（４）の両端をそれぞれ差し込み、中指を締めつけるように該ゴム紐（４）の両端を引っ張り固定するものである。
【００２１】
尚、前記パドル本体（１ａ）は、左手に装着する左手用のものであり、各指の腹が位置する先端部付近を残し、他部を半逆椀状（半分のお椀を逆さまにした状態）の膨出形状に形成したものであり、図１（Ａ）の左端のフラットな部位には小指を保持させるものであり、右手に装着する右手用ものは右端のフラットな部位に、右手の小指を保持するよう構成するものである。
【００２２】
次に、この発明の他の実施例を図２（Ａ），（Ｂ）に基づいて詳述すると、前記段落番号〔００１７〕に記載した発明と、略同一であるが、この発明は、左・右共用のパドル本体（１ａ′）であり、該パドル本体（１ａ′）の両端には、前述のように小指を保持させるフラットな部位は存在しないものである。即ち，該パドル本体（１ａ′）の通穴（２）を中心として平面が左右対象に形成されているものである。
【００２３】
さらに、この発明のさらに他の実施例を図３（Ａ），（Ｂ）に基づいて詳述すると、パドル本体（１ｂ）の上辺は、平面から見た形状が、裁頭角状に形成したものであり、該パドル（１ｂ）の表面は、図３（Ｂ）に示すようにフラットに形成されており、且つ、左右共用のものである。
【００２４】
また、この発明のさらに他の実施例を図４（Ａ），（Ｂ）に基づいて詳述すると、パドル本体（１ｃ）は、平面から見た形状が、上辺が左・右が不均等な円弧状であり、下辺は左・右が均等な円弧状に形成されたものであり、表面は、図４（Ｂ）に示すようにフラットに形成されており、また、一対の紐通し用穴（３）の一方が、他とは通穴（２）と異なった位置に形成されており、左手用のものである。
【００２５】
また、次にこの発明のさらに他の実施例を図５（Ａ），（Ｂ）に基づいて詳述すると、パドル本体（１ｃ′）は、平面から見た形状が、上辺、下辺が円弧状に形成されたものであり、表面は、図５（Ｂ）に示すようにフラットに形成されているが、前記図４に示したパドル本体（１ｃ）とは、異なり、且つ、左右共用のものである。
【００２６】
最後に、図６（Ａ），（Ｂ）に示したパドル本体（１ａ）は、図１（Ａ），（Ｂ）に示したものと同一のものであるが、一対の紐通し用穴（３）にゴム紐（４）を装着した状態を示したものである。
【００２７】
また、装着する泳者の手の大・小によりパドル本体の大きさも異なるため、当然の事ながら、複数種類の大きさのパドル本体を設ける必要があり、その結果、パドル本体のサイズダウンの場合には縦寸法（Ｚ）は変えずに、横寸法（Ｙ）を変えて作成する。また、パドル本体のサイズアップの場合には、全体の比率、即ち，縦寸法（Ｚ）と横寸法（Ｙ）の比率でアップさせる。
【００２８】
以上のように、パドル本体は、泳ぐ時に、掌を真っ直ぐにして泳ぐ泳者には、該パドル本体の指との接触面は、平坦（フラット）な形状に形成したり、あるいは、湾曲させて泳ぐ泳者には、各指の腹が位置する先端部付近を残し、他部を半逆椀状の膨出形状に形成したものから構成される水泳練習用パドルである。
【００２９】
さらに、パドル本体の表面形状は、大抵が略長方形状であって、図１に示すパドル本体は、図１に示すパドル本体（１ａ）、図２に示すパドル本体（１ａ′）のように、上辺を各指の先端形状に沿った円弧状に形成したものや、図３に示すパドル本体（１ｂ）のように、上辺を截頭角状に形成したものであってもよく、例えば、パドル本体の下辺は、図１，図２，図３，図６に示すパドル本体（１ａ，１ａ′，１ｂ）のように直線状であったり、あるいは、図４，図５に示すパドル本体（１ｃ，１ｃ′）のように円弧状であってもよい。
【００３０】
通穴（２）の大きさは、８〜１０ｍｍ程度であることが望ましい。
【００３１】
また、本来は中指を中心としてパドルを作成されば、左手用、右手用をそれぞれ形状の異なる２種類を作成する必要があるが、バタフライ、平泳ぎなど両手を同時に動かす泳法もあるため、左手用・右手用が共用のものも存在する。
【００３２】
そして、該パドル本体（１）の厚み寸法（Ｘ）は、フラット型で、２．５〜３．５ｍｍ程度であり、膨出型の厚み寸法は、全体で、約１０ｍｍ程度である。
【００３３】
また、通穴（２）の大きさは、８〜１０ｍｍ程度であると述べたが、通穴（２）の形状は、通常、円形であるが、場合によっては、楕円形等が考えられるため、通穴の形状は、他の形状に形成してもよく、敢えて形状は限定しない。
【００３４】
尚、ゴム紐（４）は、チューブ状のゴムであり、中指先端の腹部を、前記通穴（２）に押しつけた状態で、両紐通し穴（３）（３）間に中指を挿入し、これら両紐通し穴より、ゴム紐をそれぞれ引っ張ることにより、中指を締めつけ、掌とパドル本体（１）とを一部固定するものである。
【産業上の利用可能性】
【００３５】
この発明によると、水泳練習用パドルの技術を確立し、これに基づいて大量に製造・使用・販売することにより産業上の利用可能性があるものである。
【符号の説明】
【００３６】
１ａ、１ａ′、１ｂ、１ｃ、１ｃ′  パドル本体
２  通穴
３  紐通し用穴
４  ゴム紐
Ｘ  厚み寸法
Ｙ  横幅寸法
Ｚ  縦幅寸法
【手続補正２】
【補正対象書類名】特許請求の範囲
【補正対象項目名】全文
【補正方法】変更
【補正の内容】
【特許請求の範囲】
【請求項１】
水泳練習用パドルにおいて、
適宜な厚み寸法を有する合成樹脂板を素材としたパドル本体を設け、
該パドル本体の寸法は、横幅寸法（Ｙ）が、７２ｍｍ〜８３ｍｍ程度と、縦幅寸法（Ｚ）が、７１ｍｍ〜７３ｍｍ程度の大きさであり、
該パドル本体の先端部付近に、８ｍｍ〜１０ｍｍ程度の大きさを有する通穴を穿設し、  且つ、該通穴の後方部に、一対の紐通し用穴を穿設した
ことを特徴とする水泳練習用パドル。
【請求項２】
パドル本体は平板状であって、該本体の指との接触面が、平坦な形状に形成、
あるいは、各指の腹が位置する平板状の先端部付近を残し、他部を逆半椀状の膨出形状に形成したものから選ばれた
ことを特徴とする請求項１記載の水泳練習用パドル。
【請求項３】
パドル本体の表面形状が平板状の略長方形状であって、上辺を各指の先端形状に沿った円弧状、あるいは、截頭角状に形成したものから選ばれた
ことを特徴とする請求項１または２記載の水泳練習用パドル。
【請求項４】
パドル本体の表面形状が平板状であって、上辺を各指の先端形状に沿った円弧状に、下辺を、円弧状に形成した
ことを特徴とする請求項１または２記載の水泳練習用パドル。
【手続補正３】
【補正対象書類名】図面
【補正対象項目名】図８
【補正方法】削除
【補正の内容】
【手続補正４】
【補正対象書類名】図面
【補正対象項目名】図９
【補正方法】削除
【補正の内容】
【手続補正５】
【補正対象書類名】図面
【補正対象項目名】図１０
【補正方法】削除
【補正の内容】
【手続補正６】
【補正対象書類名】図面
【補正対象項目名】図１１
【補正方法】削除
【補正の内容】
【手続補正７】
【補正対象書類名】図面
【補正対象項目名】図１２
【補正方法】削除
【補正の内容】
【手続補正８】
【補正対象書類名】図面
【補正対象項目名】図１３
【補正方法】削除
【補正の内容】
【手続補正９】
【補正対象書類名】図面
【補正対象項目名】図１４
【補正方法】削除
【補正の内容】